(57)【要約】      （修正有）【課題】追い焚き用ポンプが組み込まれていない自然循環式風呂釜タイプの風呂給湯器において、固定した設備の追加をせずに、追い焚き時に爆発音や振動音が発生しないようにする。【解決手段】自然循環式風呂釜タイプの浴槽２１下部側の下の配管口２２に取り付けて使用する風呂の追い焚き用ポンプ２０であって、下の配管口２２に挿入固定する着脱部３０と、浴槽２１低層の冷たい水２６を追い焚き用熱交換器２４に送り込む水中ポンプ部３１とを備える。下の配管口２２に固定する際には、着脱部３０に設けたバネ２やゴムを縮径して挿入したことにより発生する配管内面を外側に向かって押す力と、それに伴って生じる接触抵抗を利用する。【選択図】  図１
2013160443.tif 000002
【特許請求の範囲】
【請求項１】
自然循環式風呂釜タイプの浴槽下部側の下の配管口に取り付けて使用する水中ポンプであって、前記水中ポンプは下の配管口に挿入固定する着脱部と、浴槽内の水を追い焚き用熱交換器に送り込む水中ポンプ部とから構成されており、配管口への固定に、着脱部に設けたバネやゴムを縮径して挿入したことにより発生する配管内面を外側に向かって押す力と、それに伴って生じる接触抵抗を利用したことを特徴とする、風呂の追い焚き用ポンプ
【発明の詳細な説明】
【技術分野】
【０００１】
本発明は，ガス風呂の追い焚き用ポンプに関するものである
【背景技術】
【０００２】
追い焚きのできるガス風呂用給湯器には、追い焚き用ポンプが組み込まれている強制追焚式風呂釜タイプと、組み込まれていない自然循環式風呂釜タイプがある。
【０００３】
追い焚き用ポンプが組み込まれていない自然循環式風呂釜タイプの給湯器の場合，追い焚きで供給された熱は追い焚き用熱交換器で水を加熱するが、水の温度差により発生した水の流れで湯が移動するため湯の移動速度が遅く、上の配管口から熱い湯が出てくるものの浴槽上層の湯温が高温になると浴槽内の湯をかき混ぜれば入浴するにはまだ冷たい状態でも配管内から爆発音や振動音が聞こえはじめ、それ以上追い焚きしにくい状態になる等の弊害があった。
特許文献１には、浴槽の外に追い焚き用加熱装置を設置した方法が示されているが、浴槽の他に別の追い焚き用水槽を増設する必要があるため余分なスペースが必要になるとともに、設備を追加するための費用が別途かかるといった課題があった。
【０００４】
追い焚き用ポンプを配管内に組み込んである強制追焚式風呂釜タイプの給湯器については、特許文献２、３に、追い焚きを始めると配管内に設置した圧力センサーや温度センサーを使って自動でポンプの制御を行い、適温になると追い焚きを停止する等の自動化方法が示されているが、現在設置されている自然循環式風呂釜タイプの給湯器を強制追焚式風呂釜タイプに改造することは、熱交換部を改造したりポンプやセンサーを追加する必要があるとともに、風呂の制御装置を丸ごと交換する必要がある等現実的ではなく、給湯器を丸ごと交換することになるため費用も工事期間もかかり、工事期間中は銭湯を利用する等の対応が必要になるといった問題があった。
【先行技術文献】
【特許文献】
【０００５】
【特許文献１】実用新案第３０９０７３４号
【特許文献２】特許第３７３８０６１号
【特許文献３】特許第３７２００８５号
【発明の概要】
【発明が解決しようとする課題】
【０００６】
追い焚き用ポンプが組み込まれていない自然循環式風呂釜タイプの給湯器でも、あまり費用をかけず、また、固定した設備の追加をしないで爆発音や振動音なしに入浴に適温になるまで追い焚きできるようにするにはどうすればよいか、ということである。
【課題を解決するための手段】
【０００７】
上記目的を達成するために本発明では、自然循環式風呂釜タイプの浴槽下部側の下の配管口に取り付けて使用する水中ポンプであって、前記水中ポンプは配管口に挿入固定する着脱部と浴槽内の水を追い焚き用熱交換器に送り込む水中ポンプ部とから構成されており、配管口への固定に、着脱部に設けたバネやゴムを縮径して挿入したことにより発生する配管内面を外側に向かって押す力と、それに伴って生じる接触抵抗を利用したことを特徴とする風呂の追い焚き用ポンプを提案する。
【発明の効果】
【０００８】
自然循環式風呂釜タイプの給湯器の場合、追い焚きをはじめてしばらくすると爆発音や振動音が配管内から聞こえてくるが、風呂の追い炊き用ポンプで浴槽内の水を浴槽下部側の下の配管口から強制的に追い焚き用熱交換器に送り込むと、配管内から聞こえていた爆発音や振動音は停止し、入浴に適温になるまでの追い焚きが可能となった。
【図面の簡単な説明】
【０００９】
【図１】本発明の請求項１における第1実施の形態を示す風呂の追い焚き用ポンプの説明図である
【図２】本発明の請求項１における第２実施の形態を示す風呂の追い焚き用ポンプの説明図である
【図３】本発明の請求項１における第３実施の形態を示す風呂の追い焚き用ポンプの説明図である
【図４】本発明の風呂の追い焚き用ポンプを浴槽に取り付けた説明図である
【発明を実施するための形態】
【００１０】
発明の実施形態を挙げて、本発明をより詳しく説明する。
【実施例】
【００１１】
以下、図を参照しながら本発明の実施の形態について説明する。なお、説明の都合上、図示されていない本発明の使い方や浴槽への取り付け等を説明した箇所があるが、その場合は図４を参照のこと。
【００１２】
図１は請求項１に対応した本発明の実施例１を示す。図１（ａ）には、実施例１の着脱部３０の正面図、図１（ｂ）には水中ポンプ部３１の内部模式図、図１（ｃ）にはバネ２と下の配管口２２との位置関係を示す説明図である。
実施例１の風呂の追い焚き用ポンプ２０は、１本のパイプ１に着脱部３０と水中ポンプ部３１が配置され、中間にストッパー３が張り出した構造となっており、水中ポンプ部３１の吸入２８側には防護カバー６が付けられている。
パイプ１の外径は、浴槽下部側の下の配管口２２の内径よりわずかに小さいが、着脱部３０には下の配管口２２の内径よりわずかに盛り上がるように金属製の板バネ２が取り付けられている。
風呂の追い焚き用ポンプ２０を着脱部３０側から下の配管口２２に差し込んでいくと、それにつれてパイプから盛り上がった金属製の板バネ２が配管内面に当たって押し込まれるが、その反力で下の配管口２２に固定することから、配管内に押し込んだり引き抜くだけのワンタッチ動作で着脱することがでる。なお、板バネに用いる金属には、水中で用いるため耐食性のあるバネ材を用いることが望ましい。
【００１３】
図２は請求項１に対応した本発明の実施例２を示す。図２（ａ）には、実施例２の着脱部３０の側面図、図２（ｂ）には実施例２の内部模式図を示す。
実施例２の着脱部３０には、両手を広げたような形をしたプラスチックから成るバネ２が形成されている。
取り付けにはバネ２の両手を広げた部分を浴槽下部側の下の配管口２２にかけて斜め上から押し付けるようにしてはめ込めば良く、取り外しは引き抜くだけで良いことから、ワンタッチで着脱することができる。また、下の配管口２２より下の冷たい水２６を吸い込めるように取り込み口を下向きに曲げてある。
パイプ１とバネ２を同じプラスチックで一体成形することが可能で、耐食性があり製作が容易であるという長所もあるが、使用するプラスチックの材質によっては温度が上昇すると下の配管口２２から風呂の追い焚き用ポンプ２０が外れてしまうといったトラブルが発生する恐れもあり、温度が上昇しても強度低下の少ない材質を選定するといった配慮が必要である。
風呂の追い焚き用ポンプ２０は、追い焚きをするときだけ取り付けて、それ以外は取り外してあることを想定しているが、間違って風呂の追い焚き用ポンプ２０を稼動させてない状態で下の配管口２２に取り付けたまま追い焚きした場合、水中ポンプ部３１にはモーター４や翼５が内蔵されているため流体抵抗が大きく、上の配管口２３から出てくる暖かい湯２７の温度が高くなりすぎるといった恐れがある。ここではその安全対策として、ストッパー３近傍に冷たい水２６の吸入口として機能する開口部７（開口部の形状を工夫して、翼５を回転させたときに発生した水の流れは外部にもれないようにしたり、流れで開閉する弁を追加してもよい）を設けている。
【００１４】
図３は請求項１に対応した本発明の実施例３を示す。図３（ａ）には、実施例３の着脱部１の側面図、図３（ｂ）には実施例３の内部模式図を示す。
実施例３の着脱部１は、ゴム８（通常のゴム以外に、発泡ゴムや軟質プラスチックを用いても良い）を縮径して下の配管口２２に差し込み、その反力を利用して固定している。ゴム８が下の配管口２２と接触する面には、滑りを良くするための表面コーティング加工や薄いプラスチックや金属のシートが貼り付けてあることが好ましく、着脱がワンタッチでスムーズに行うことができる。
また、ゴム８には振動絶縁性があることから、モーター４から発生する振動を浴槽２１に伝えにくくする効果を持っており、稼動音の静粛性に効果が期待できる。
水中ポンプと着脱部１とは柔軟性のあるホース９でつないでおり、水中ポンプ部３１を浴槽底に置くこともできるが、防護カバー６が浴槽２１と接する部分にはゴムを介する等の対策をして、モーターから発生した振動が浴槽に伝わらないようにすることが好ましい。
【００１５】
図４は自然循環式風呂釜タイプの給湯器の浴槽２１に、本発明の風呂の追い焚き用ポンプ２０を取り付けた状態を示す。図１に示す風呂の追い焚き用ポンプ２０の着脱部３０を下の配管口２２にストッパー３（配管内に入って取り出せなくなるのを防ぐためのもので、無くても機能上は問題ない）が接するまで差し込み、モーター４に電源２５から所定電圧を供給すると、翼５（軸流式でも遠心式でも良い）が回転して防護カバー６を通して浴槽内の冷たい水２６を吸い込み、追い焚き用熱交換器２４を通って上の配管口２３から浴槽内に吐き出される。
冷めた風呂を追い炊きしようと熱源２８で追い焚き用熱交換器２４を加熱すると、上の配管口２３から暖かい湯２７（長く手をつけておけないほど熱い）が少量づつ出はじめるが、しばらくすると配管内から爆発音や振動音が聞こえてくる。そこで追い焚き用ポンプ２０（ポンプの能力としては、市販の洗濯機用水中ポンプや家庭用の乾電池式電動灯油ポンプ程度で十分である）を下の配管口２２に取り付け、電源２５から所定電圧を供給すると下の配管口２２からたくさんの冷たい湯２６を吸い込み、上の配管口２３から暖かい湯２７が出てくるとともに、爆発音や振動の発生が抑制される。
【符号の説明】
【００１６】
１パイプ
２バネ
３ストッパー
４モーター
５翼
６防護カバー
７開口部
８ゴム
９ホース
２０風呂の追い焚き用ポンプ
２１浴槽
２２下の配管口
２３上の配管口
２４追い焚き用熱交換器
２５電源
２６冷たい水
２７温かい湯
２８熱源
３０着脱部
３１水中ポンプ部
【図１】
2013160443.tif 000003
【図２】
2013160443.tif 000004
【図３】
2013160443.tif 000005
【図４】
2013160443.tif 000006
【手続補正書】
【提出日】平成24年2月17日(2012.2.17)
【手続補正１】
【補正対象書類名】明細書
【補正対象項目名】０００７
【補正方法】変更
【補正の内容】
【０００７】
上記目的を達成するために本発明では、自然循環式風呂釜タイプの浴槽下部側の下の配管口に取り付けて使用する水中ポンプであって、前記水中ポンプは配管口に挿入固定する着脱部と浴槽内の水を追い焚き用熱交換器に送り込む水中ポンプ部とから構成されており、配管口への固定に、着脱部に設けたバネやゴムを縮径して挿入したことにより発生する配管内面を外側に向かって押す力と、それに伴って生じる接触抵抗（以下、摩擦力と大きな凸凹や引っ掻きによる抵抗力の和を接触抵抗と呼ぶ）を利用したことを特徴とする風呂の追い焚き用ポンプを提案する。
【手続補正２】
【補正対象書類名】明細書
【補正対象項目名】００１２
【補正方法】変更
【補正の内容】
【００１２】
図１は請求項１に対応した本発明の実施例１を示す。図１（ａ）には、実施例１の着脱部３０の側面図、図１（ｂ）には水中ポンプ部３１の内部模式図、図１（ｃ）にはバネ２と下の配管口２２との位置関係を示す説明図である。
実施例１の風呂の追い焚き用ポンプ２０は、１本のパイプ１に着脱部３０と水中ポンプ部３１が配置され、中間にストッパー３が張り出した構造となっており、水中ポンプ部３１の吸入２８側には防護カバー６が付けられている。  パイプ１の外径は、浴槽２１下部側の下の配管口２２の内径よりわずかに小さいが、着脱部３０には下の配管口２２の内径よりわずかに盛り上がるように金属製の板バネ２が取り付けられている。
風呂の追い焚き用ポンプ２０を着脱部３０側から下の配管口２２に差し込んでいくと、それにつれてパイプ１から盛り上がった金属製の板バネ２が配管内面に当たって押し込まれるが、その反力で下の配管口２２に固定することから、配管内に押し込んだり引き抜くだけのワンタッチ動作で着脱することがでる。なお、板バネ２に用いる金属には、水中で用いるため耐食性のあるバネ材を用いることが望ましい。
【手続補正３】
【補正対象書類名】明細書
【補正対象項目名】００１３
【補正方法】変更
【補正の内容】
【００１３】
図２は請求項１に対応した本発明の実施例２を示す。図２（ａ）には、実施例２の着脱部３０の側面図、図２（ｂ）には実施例２の内部模式図を示す。
実施例２の着脱部３０には、両手を広げたような形をしたプラスチックから成るバネ２が形成されている。
取り付けにはバネ２の両手を広げた部分を浴槽２１下部側の下の配管口２２にかけて斜め上から押し付けるようにしてはめ込めば良く、取り外しは引き抜くだけで良いことから、ワンタッチで着脱することができる。また、下の配管口２２より下の冷たい水２６を吸い込めるように取り込み口を下向きに曲げてある。
パイプ１とバネ２を同じプラスチックで一体成形することが可能で、耐食性があり製作が容易であるという長所もあるが、使用するプラスチックの材質によっては温度が上昇するとプラスチックが軟化して下の配管口２２から風呂の追い焚き用ポンプ２０が外れてしまうといったトラブルが発生する恐れもあり、温度が上昇しても強度低下の少ない材質を選定するといった配慮が必要である。
風呂の追い焚き用ポンプ２０は、追い焚きをするときだけ取り付けて、それ以外は取り外してあることを想定しているが、間違って風呂の追い焚き用ポンプ２０を稼動させてない状態で下の配管口２２に取り付けたまま追い焚きした場合、水中ポンプ部３１にはモーター４や翼５が内蔵されているため風呂の追い焚き用ポンプ２０が無い場合と比べると流体抵抗が大きくなるため水の流れが抑制され、配管内から爆発音や振動音が発生しやすくなるといった恐れがある。ここではその安全対策として、ストッパー３近傍の浴槽２１側パイプ１に、冷たい水２６の吸入口として機能する開口部７（開口部７の形状を工夫して翼５を回転させたときに発生した水の流れが外部にもれないようにすることが望ましいが、流れで開閉する弁を設けてもよい）を設けている。
【手続補正４】
【補正対象書類名】明細書
【補正対象項目名】００１４
【補正方法】変更
【補正の内容】
【００１４】
図３は請求項１に対応した本発明の実施例３を示す。図３（ａ）には、実施例３の着脱部３０の側面図、図３（ｂ）には実施例３の内部模式図を示す。
実施例３の着脱部３０は、ゴム８（通常のゴム以外に、発泡ゴムや軟質プラスチックを用いても良い）を縮径して下の配管口２２に差し込み、その反力を利用して固定している。ゴム８が下の配管口２２と接触する面には、滑りを良くするための表面コーティング加工や薄いプラスチック、あるいは金属のシートが貼り付けてあることが好ましく、着脱がワンタッチでスムーズに行うことができる。
また、ゴム８には振動絶縁性があることから、モーター４から発生する振動を浴槽２１に伝えにくくする効果を持っており、稼動音の静粛性に効果が期待できる。
水中ポンプ部３１と着脱部３０とは柔軟性のあるホース９でつながれており、水中ポンプ部３１を浴槽２１底に置くこともできるが、防護カバー６が浴槽２１と接する部分にはゴムを介する等の対策をして、モーター４から発生した振動が浴槽２１に伝わらないようにすることが好ましい。
【手続補正５】
【補正対象書類名】明細書
【補正対象項目名】００１５
【補正方法】変更
【補正の内容】
【００１５】
図４は自然循環式風呂釜タイプの給湯器の浴槽２１に、本発明の風呂の追い焚き用ポンプ２０を取り付けた状態を示す。図１に示す風呂の追い焚き用ポンプ２０の着脱部３０を下の配管口２２にストッパー３（配管内に入って取り出せなくなるのを防ぐためのもので、無くても機能上は問題ない）が接するまで差し込み、モーター４に電源２５から所定電圧を供給すると、翼５（軸流式でも遠心式でも良い）が回転して防護カバー６を通して浴槽２１内の冷たい水２６を吸入２８して追い焚き用ポンプ２０の着脱部３０側から吐出２９され、追い焚き用熱交換器２４で加熱されて（熱源３２は稼動状態であるとする）上の配管口２３から浴槽２１内に暖かい湯２７として吐き出される。
冷めた風呂を追い炊きしようと熱源３２で追い焚き用熱交換器２４を加熱すると、上の配管口２３から暖かい湯２７（長く手をつけておけないほど熱い）が少量づつ出はじめるが、しばらくすると配管内から爆発音や振動音が聞こえてくる。そこで追い焚き用ポンプ２０（ポンプの能力としては、市販の洗濯機用水中ポンプや家庭用の乾電池式電動灯油ポンプ程度で十分であり、水中ポンプ部３１に市販の洗濯機用水中ポンプを用いて、ホースの先に着脱部３０を取り付けれて風呂の追い焚き用ポンプ２０を構成することもできる）を下の配管口２２に取り付け、電源２５から所定電圧を供給すると下の配管口２２からたくさんの冷たい湯２６を吸い込み、上の配管口２３から暖かい湯２７が出てくるとともに、爆発音や振動の発生が抑制される。
【手続補正６】
【補正対象書類名】明細書
【補正対象項目名】００１６
【補正方法】変更
【補正の内容】
【００１６】
１パイプ
２バネ
３ストッパー
４モーター
５翼
６防護カバー
７開口部
８ゴム
９ホース
２０風呂の追い焚き用ポンプ
２１浴槽
２２下の配管口
２３上の配管口
２４追い焚き用熱交換器
２５電源
２６冷たい水
２７暖かい湯
２８吸入
２９吐出
３０着脱部
３１水中ポンプ部
３２熱源
【手続補正８】
【補正対象書類名】図面
【補正対象項目名】図４
【補正方法】変更
【補正の内容】
【図４】
2013160443.tif 000007